(57)【特許請求の範囲】
【請求項１】
水供給管から供給された水を吐出口から吐出する吐水装置において、石鹸供給手段と前記石鹸供給手段の使用を検知する検知手段とを設け、前記石鹸供給手段の使用が検知された場合に前記吐出口から吐出される吐出流量を、前記石鹸供給手段の使用が検知されない場合と比べて多量とすることを特徴とした吐水装置。
【請求項２】
前記石鹸供給手段と前記吐水装置が一つのケーシング内に収納されたことを特徴とする請求項１記載の吐水装置。
【請求項３】
前記吐水装置は、強制的に空気を供給する空気供給手段と、この供給された空気を水の中に気泡の状態で混入する空気混入手段とを備え、前記吐出口から気泡を強制混入した水を吐出することが可能であり、前記石鹸供給手段の使用が検知されない場合には水に気泡を強制混入させ、前記石鹸供給手段の使用が検知された場合には水に気泡を混入しないことを特徴とした請求項１または２記載の吐水装置。
【請求項４】
前記吐水装置は、強制的に空気を供給する空気供給手段と、この供給された空気を水の中に気泡の状態で混入する空気混入手段とを備え、前記吐出口から気泡を強制混入した水を吐出することが可能であり、前記石鹸供給手段の使用検知の有無により、水に強制混入する気泡量を変化させることを特徴とした請求項１または２記載の吐水装置。
【発明の詳細な説明】
【０００１】
【発明の属する技術分野】
本発明は人体を石鹸にて洗浄する石鹸供給機能と水を吐水する吐水機能を備えた石鹸供給手段付き吐水装置に関するものであって、特に吐水装置に関するものである。
【０００２】
【従来の技術】
従来の石鹸供給手段と連立して使用されるタイプの吐水装置において、節水を目的として吐水量を絞る等の対策を実施した場合、通常の洗浄行為のみであればほぼ問題なく使用可能であるが、石鹸をつけて洗浄行為を実施する場合、石鹸の泡立て時間や洗い落とし時間が長くなり、結果として公共施設等の手洗い場等にて人間の回転が悪くなり混雑してしまうという問題が発生していた。
【０００３】
【発明が解決しようとする課題】
本発明は上記従来例の問題点を鑑みて発明したものであり、石鹸を使用しない洗浄行為については吐水量を少なくすることにより節水効果を高め、石鹸を使用しての洗浄行為については気泡混入手段により、吐水量を多くし石鹸の洗い落としを良くし、十分な使い勝手を実現できる石鹸供給手段と連立して使用されるタイプの吐水装置を提供することを目的とする。
【０００４】
【課題を解決するための手段および作用・効果】
上記課題を解決するためになされた請求項第１項記載の発明は、水供給管から供給された水を吐出口から吐出する吐水装置において、石鹸供給手段と前記石鹸供給手段の使用を検知する検知手段とを設け、前記石鹸供給手段の使用が検知された場合に前記吐出口から吐出される吐出流量を、前記石鹸供給手段の使用が検知されない場合と比べて多量とすることを特徴とするものである。
【０００５】
本発明においては、石鹸供給装置の使用の有無を検知し、検知に対して吐水流量が変化することによって、洗浄効果にあった吐水が確保でき、節水も図ることができる。即ち、石鹸供給装置の使用の有無を検知することによって、一般の公共施設で頻度の高い石鹸を使用しない場合の洗浄行為については流量を少量に設定することにより大幅な節水が可能である。また頻度の低い石鹸を使用する場合の洗浄行為については流量を多量に設定することによって十分な使い勝手を提供するとともに手洗い場等での混雑を緩和することができる。
【０００８】
請求項２記載の発明は、前記石鹸供給手段と前記吐水装置が一つのケーシング内に収納されたことを特徴とする。
【０００９】
本発明においては、石鹸供給装置の使用の有無を検知することによって、一般の公共施設で頻度の高い石鹸を使用しない場合の洗浄行為については流量を少量に設定することにより大幅な節水が可能である。また頻度の低い石鹸を使用する場合の洗浄行為については流量を多量に設定することによって十分な使い勝手を提供し、手洗い場等での混雑を緩和することができるとともに、石鹸供給装置と吐水装置を一つのケーシング内に収納することにより非常にコンパクトにすることが可能であり、信号配線等をケーシング内に収めることができ見た目にも非常に良い吐水装置を提供することができる。
【００１０】
請求項３記載の発明は、前記吐水装置は、強制的に空気を供給する空気供給手段と、この供給された空気を水の中に気泡の状態で混入する空気混入手段とを備え、前記吐出口から気泡を強制混入した水を吐出することが可能であり、前記石鹸供給手段の使用が検知されない場合には水に気泡を強制混入させ、前記石鹸供給手段の使用が検知された場合には水に気泡を混入しないことを特徴としたものである。
【００１１】
本発明においては、石鹸供給装置の使用の有無を検知することによって、一般の公共施設で頻度の高い水石鹸を使用しない場合の洗浄行為については流量を少量に設定することにより大幅な節水が可能である。また頻度の低い石鹸を使用する場合の洗浄行為については流量を多量に設定することによって十分な使い勝手を提供し、手洗い場等での混雑を緩和することができるとともに、小流量時に気泡を混入することにより、少ない流量であるにも関わらずやわらかなボリュームのある吐出を実現することができる。
【００１２】
請求項４記載の発明は、前記吐水装置は、強制的に空気を供給する空気供給手段と、この供給された空気を水の中に気泡の状態で混入する空気混入手段とを備え、前記吐出口から気泡を強制混入した水を吐出することが可能であり、前記石鹸供給手段の使用検知の有無により、水に強制混入する気泡量を変化させることを特徴としたものである。
【００１３】
本発明においては、石鹸供給装置の使用の有無を検知することによって、一般の公共施設で頻度の高い石鹸を使用しない場合の洗浄行為については流量を少量に設定することにより大幅な節水が可能である。また頻度の低い石鹸を使用する場合の洗浄行為については流量を多量に設定することによって十分な使い勝手を提供し、手洗い場等での混雑を緩和することができるとともに、小流量時に気泡を混入することにより、少ない流量であるにも関わらずやわらかなボリュームのある吐出を、また大流量時に気泡を混入することにより水跳ねのない吐水を実現することができる。
【００１４】
【発明の実施の形態】
以下、発明の実施の形態を、図面により詳細に説明する。
【００１５】
図１は本発明の一実施例を示す概略構成図である。水供給管路１より止水栓２、流量を調節する定流量弁（少流量）３及び定流量弁（大流量）４、吐出のＯＮ／ＯＦＦを行う開閉弁５，６、空気を混入する空気混入部７そして吐出口８という順に配列されている。定流量弁３，４については設定流量が異なる。空気混入部７には空気供給管路９を通して空気供給装置１０が接続されている。また開閉弁５，６と空気供給装置１０と検知スイッチ１３は制御部１５と接続されている。
【００１６】
上記構成において、使用者が石鹸を使用するために検知スイッチ１３を押すと石鹸が吐出されるとともに制御部１５に信号が伝達される。次に石鹸を洗い流すために吐水装置を使用すると石鹸の使用が検知されているために、定流量弁（大流量）４側の開閉弁６が開成され吐出口８より勢いよく水流が吐出されることになる。
【００１７】
また、石鹸供給装置を使用せずに吐水装置を使用すると石鹸の使用が検知されていないために、定流量弁（低流量）３側の開閉弁５が開成されるとともに空気供給装置１０が運転を開始し、吐出口８より気泡を含んだボリューム感のあるやわらかな水流が吐出されることになる。
【００１８】
図２は本発明のもう一つの実施例を示したものである。石鹸供給装置と吐水装置は一体のケーシング内に収納されている。吐水装置は水供給管路１６より止水栓１７、吐出のＯＮ／ＯＦＦをおこなう開閉弁１８及び流量を調整する流量調節弁１９、 空気を混入する空気混入部２０そして吐出口２５という順に配列されている。空気混入部２０には空気供給管路２３を通して空気供給装置２１が接続されている。石鹸供給装置は石鹸タンク２２、石鹸供給管路２４を通して石鹸吐出口２７に接続されている。また開閉弁１８、流量調節弁１９、空気供給装置２１及び検知センサー２６，２８は制御部２９と接続されている。
【００１９】
上記構成において、使用者が石鹸を使用するために石鹸供給装置側検知センサー２８に手を差し出したとすると制御部２９に信号が伝達され、石鹸が吐出される。次に水石鹸を洗い流すために吐水装置側センサー２６に手を差し出すと水石鹸の使用が検知されているために、流量調節手段１９の絞りを開いた状態で開閉弁１８が開成される。そのため吐出口２５より勢いよく水が吐出されることになる。この時、水跳ね等を防止するために空気供給装置２１を運転させ気泡を少量混入しても良い。
【００２０】
また、石鹸供給装置を使用せずに吐水装置を使用すると水石鹸の使用が検知されていないために、流量調節装置１９が絞られた状態にて開閉弁１８が開成される。それと同時に、空気供給装置２１が運転を開始し、吐出口２５より気泡を含んだボリューム感のあるやわらかな水流が吐出されることになる。
【００２１】
本発明において、石鹸の種類は液体、固体をとわないことは明らかである。固形石鹸使用時は重量センサー等によって石鹸の使用の判定を行い、吐水流量の設定を行うこともできる。
【図面の簡単な説明】
【図１】  水石鹸供給装置と吐水装置を別個に設置した例である。
【図２】  水石鹸供給装置と吐水装置を一つのケーシング内に収めた例である。
【符号の説明】
１…水供給管路、２…止水栓、３…定流量弁（低流量）、４…定流量弁（大流量）、５…開閉弁１、６…開閉弁２、７…空気混入部、８…吐出口、９…空気供給管路、１０…空気供給装置、１１…水石鹸供給装置、１２…水石鹸供給管路、１３…検知スイッチ、１４…水石鹸タンク、１５…制御部、１６…水供給管路、１７…止水栓、１８…開閉弁、１９…流量調節弁、２０…空気混入部、２１…空気供給装置、２２…水石鹸タンク、２３…空気供給管路、２４…水石鹸供給管路、２５…吐出口、２６…水側センサー、２７…水石鹸吐出口、２８…水石鹸側センサー、２９…制御部
【図１】
0004329110.tif 000002
【図２】
0004329110.tif 000003